(57)【特許請求の範囲】
【請求項１】
入力座標値と印刷用の色材の使用量との対応関係を規定した色変換テーブルを参照して入力画像を変換し、変換後の出力画像を印刷する制御を行う印刷制御装置であって、
前記色変換テーブルとは異なる構造の一覧印刷用色変換テーブルを参照して、前記色変換テーブルを調整するための前記入力画像に基づいた一覧画像を印刷する制御を行う一覧印刷制御部を備え、
前記一覧印刷用色変換テーブルにおける入力表色系の座標軸に沿った格子点の数は、前記色変換テーブルにおける入力表色系の座標軸に沿った格子点の数よりも少ない、印刷制御装置。
【請求項２】
入力座標値と印刷用の色材の使用量との対応関係を規定した色変換テーブルを参照して入力画像を変換し、変換後の出力画像を印刷する制御を行う印刷制御装置であって、
前記色変換テーブルとは異なる構造の一覧印刷用色変換テーブルを参照して、前記色変換テーブルを調整するための前記入力画像に基づいた一覧画像を印刷する制御を行う一覧印刷制御部を備え、
前記一覧印刷用色変換テーブルにおける色材の使用量の階調数は、前記色変換テーブルにおける色材の使用量の階調数よりも少ない、印刷制御装置。
【請求項３】
入力座標値と印刷用の色材の使用量との対応関係を規定した色変換テーブルを参照して入力画像を変換し、変換後の出力画像を印刷する制御を行う印刷制御装置であって、
前記入力画像に基づいて変換前の一覧画像を生成し、前記色変換テーブルを簡素化したものを複数内部に備える一覧印刷用色変換テーブルであって前記変換前の一覧画像を一括して色変換するデータを有する一覧印刷用色変換テーブルを参照して、前記色変換テーブルを調整するための前記入力画像に基づいた一覧画像を印刷する制御を行う一覧印刷制御部を備えた、印刷制御装置。
【請求項４】
前記一覧印刷用色変換テーブルにおける入力表色系を構成する複数の成分は、明度に対応した明度成分と、調整される色味に対応した色味成分と、を含み、
前記一覧印刷制御部は、前記入力画像に基づいて前記色味成分が異なる画像の一覧である変換前の一覧画像を生成し、前記一覧印刷用色変換テーブルを参照して前記変換前の一覧画像を変換し、変換後の一覧画像を印刷する制御を行う、請求項１〜請求項３のいずれか一項に記載の印刷制御装置。
【請求項５】
前記一覧印刷用色変換テーブルにおける入力表色系を構成する複数の成分は、明度に対応した明度成分と、調整される色味に対応した色味成分と、を含み、
前記一覧印刷用色変換テーブルにおける前記明度成分と前記色材の使用量との対応関係が、前記色変換テーブルの対応関係に基づいて生成された、請求項１〜請求項４のいずれか一項に記載の印刷制御装置。
【請求項６】
前記出力画像の色味の調整量を入力し、入力座標値と印刷用の色材の使用量との対応関係を規定した元色変換テーブルを前記入力した調整量に基づいて調整して前記色変換テーブルを生成する色変換テーブル調整部をさらに備えた、請求項１〜請求項５のいずれか一項に記載の印刷制御装置。
【請求項７】
前記色変換テーブルに規定される入力座標値は、明度に対応した値とされ、
前記色変換テーブル及び前記一覧印刷用色変換テーブルに使用量が規定される色材は、有彩色の色材を含む、請求項１〜請求項６のいずれか一項に記載の印刷制御装置。
【請求項８】
入力座標値と印刷用の色材の使用量との対応関係を規定した色変換テーブルを参照して入力画像を変換し、変換後の出力画像を印刷する制御を行う印刷制御方法であって、
前記色変換テーブルとは異なる構造の一覧印刷用色変換テーブルを参照して、前記色変換テーブルを調整するための前記入力画像に基づいた一覧画像を印刷する制御を行う工程を含み、
前記一覧印刷用色変換テーブルにおける入力表色系の座標軸に沿った格子点の数は、前記色変換テーブルにおける入力表色系の座標軸に沿った格子点の数よりも少ない、印刷制御方法。
【請求項９】
入力座標値と印刷用の色材の使用量との対応関係を規定した色変換テーブルを参照して入力画像を変換し、変換後の出力画像を印刷する制御を行う印刷制御方法であって、
前記色変換テーブルとは異なる構造の一覧印刷用色変換テーブルを参照して、前記色変換テーブルを調整するための前記入力画像に基づいた一覧画像を印刷する制御を行う工程を含み、
前記一覧印刷用色変換テーブルにおける色材の使用量の階調数は、前記色変換テーブルにおける色材の使用量の階調数よりも少ない、印刷制御方法。
【請求項１０】
入力座標値と印刷用の色材の使用量との対応関係を規定した色変換テーブルを参照して入力画像を変換し、変換後の出力画像を印刷する制御を行う印刷制御方法であって、
前記入力画像に基づいて変換前の一覧画像を生成し、前記色変換テーブルを簡素化したものを複数内部に備える一覧印刷用色変換テーブルであって前記変換前の一覧画像を一括して色変換するデータを有する一覧印刷用色変換テーブルを参照して、前記色変換テーブルを調整するための前記入力画像に基づいた一覧画像を印刷する制御を行う、印刷制御方法。
【発明の詳細な説明】
【技術分野】
【０００１】
本発明は、色変換テーブルを参照する印刷制御装置、及び、印刷制御方法に関する。
【背景技術】
【０００２】
プリンターといった画像形成装置やパーソナルコンピューターといったホスト装置等では、色変換テーブルを参照して入力画像を色変換し、色変換後の画像を印刷する制御を行っている。色変換テーブルは、例えば、モニターに依存するＲＧＢ（赤、緑、青）表色系の入力座標値と、プリンターで使用されるＣＭＹＫ（シアン、マゼンタ、イエロー、ブラック）のインク（色材）の使用量と、の対応関係が規定されている。色変換テーブルは、ＲＧＢの入力座標値が同じグレイ画像の色変換にも使用される。モノクロ画像の微妙な色味を確認するため、色味を微妙に変えたモノクロ画像をテスト印刷することが考えられる。
【０００３】
特許文献１に開示される画像形成システムは、モノクロ画像を印刷するものではないが、複数のテスト色変換テーブルの設定を受け付け、各テスト色変換テーブルを適用して複数のテスト出力画像を印刷し、選定されたテスト色変換テーブルを正規版の色変換テーブルとして使用する。従って、テスト色変換テーブルと正規版の色変換テーブルとは、格子点数が同じであり、格納される出力値の階調数が同じである。
【先行技術文献】
【特許文献】
【０００４】
【特許文献１】特開２０１２−９１８号公報
【発明の概要】
【発明が解決しようとする課題】
【０００５】
モノクロ画像を高画質化するためには、格子点数や出力階調数が多い色変換テーブルを用意する必要がある。一方、色味を微妙に異ならせたテスト画像を一覧印刷する場合、格子点数や出力階調数が多い色変換テーブルをテスト画像毎に用意すると、一覧印刷の制御処理に非常に多くのメモリーサイズが必要となる。
【０００６】
尚、上記のような問題は、ＲＧＢ表色系の入力画像をＣＭＹＫ表色系の画像に色変換して印刷する技術に限らず、種々の技術についても同様に存在する。
【０００７】
以上を鑑み、本発明の目的の一つは、一覧印刷用色変換テーブルを格納するメモリーサイズを少なくすることが可能な技術を提供することにある。
【課題を解決するための手段】
【０００８】
上記目的の一つを達成するため、本発明は、入力座標値と印刷用の色材の使用量との対応関係を規定した色変換テーブルを参照して入力画像を変換し、変換後の出力画像を印刷する制御を行う印刷制御装置であって、
前記色変換テーブルとは異なる構造の一覧印刷用色変換テーブルを参照して、前記色変換テーブルを調整するための前記入力画像に基づいた一覧画像を印刷する制御を行う一覧印刷制御部を備え、
前記一覧印刷用色変換テーブルにおける入力表色系の座標軸に沿った格子点の数は、前記色変換テーブルにおける入力表色系の座標軸に沿った格子点の数よりも少ない、態様を有する。
また、本発明は、入力座標値と印刷用の色材の使用量との対応関係を規定した色変換テーブルを参照して入力画像を変換し、変換後の出力画像を印刷する制御を行う印刷制御装置であって、
前記色変換テーブルとは異なる構造の一覧印刷用色変換テーブルを参照して、前記色変換テーブルを調整するための前記入力画像に基づいた一覧画像を印刷する制御を行う一覧印刷制御部を備え、
前記一覧印刷用色変換テーブルにおける色材の使用量の階調数は、前記色変換テーブルにおける色材の使用量の階調数よりも少ない、態様を有する。
さらに、本発明は、入力座標値と印刷用の色材の使用量との対応関係を規定した色変換テーブルを参照して入力画像を変換し、変換後の出力画像を印刷する制御を行う印刷制御装置であって、
前記入力画像に基づいて変換前の一覧画像を生成し、前記色変換テーブルを簡素化したものを複数内部に備える一覧印刷用色変換テーブルであって前記変換前の一覧画像を一括して色変換するデータを有する一覧印刷用色変換テーブルを参照して、前記色変換テーブルを調整するための前記入力画像に基づいた一覧画像を印刷する制御を行う一覧印刷制御部を備えた、態様を有する。
【０００９】
上述した態様は、一覧印刷の制御処理に必要なメモリーサイズを少なくすることが可能な技術を提供することができる。
【００１０】
さらに、本発明は、画像形成装置、印刷制御装置を含む印刷装置といった複合装置、上述した各部に対応した工程を含む印刷制御方法、画像形成方法、印刷制御方法を含む複合装置用の処理方法、上述した各部に対応した機能をコンピューターに実現させる印刷制御プログラム、画像形成プログラム、印刷制御プログラムを含む複合装置用の処理プログラム、これらのプログラムを記録したコンピューター読み取り可能な媒体、色変換テーブル、等に適用可能である。前述の装置は、分散した複数の部分で構成されてもよい。
【図面の簡単な説明】
【００１１】
【図１】入力画像に基づいた一覧画像の印刷物を形成した後に本番の印刷画像を形成する例を模式的に示す図。
【図２】印刷装置の構成例を模式的に示す図。
【図３】元色変換テーブル、色変換テーブル、及び、係数テーブルの構造例を模式的に示す図。
【図４】一覧画像を有する印刷物の例を模式的に示す図。
【図５】一覧印刷用色変換テーブルの構造例を模式的に示す図。
【図６】Ｇ及びＢの入力座標値に色味成分を対応付ける例を模式的に示す図。
【図７】印刷装置が行う印刷制御処理の例を示すフローチャート。
【図８】操作パネルの例を模式的に示す図。
【図９】ホスト装置が行う印刷制御処理の例を示すフローチャート。
【図１０】表示装置で表示される入力画面の例を模式的に示す図。
【図１１】Ｇ及びＢの入力座標値に色味成分を対応付ける変形例を模式的に示す図。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本技術の概要：
まず、図１〜１１を参照して本技術の概要を説明する。
【００１４】
図２等に例示される印刷制御装置は、入力座標値（例えば図３に示すＲＧＢの階調値Ｒｉ，Ｇｉ，Ｂｉ）と印刷用の色材（例えばインク６６）の使用量（例えばＣＭＹＫＬｋの階調値Ｃｉ，Ｍｉ，Ｙｉ，Ｋｉ，Ｌｋｉ）との対応関係を規定した色変換テーブル３１０を参照して入力画像Ｄ１を変換し、変換後の出力画像Ｄ５を印刷する制御を行う。ここで、Ｌｋは、Ｋよりも低濃度の無彩色であるライトブラックである。印刷制御装置は、前記色変換テーブル３１０とは異なる構造の一覧印刷用色変換テーブル３２０を参照して、前記色変換テーブル３１０を調整するための前記入力画像Ｄ１に基づいた一覧画像Ｄ３を印刷する制御を行う一覧印刷制御部Ｕ１を備えている。
【００１５】
本技術は、本番の印刷に使用する色変換テーブル３１０とは異なる構造の一覧印刷用色変換テーブル３２０が参照されて色変換テーブル調整用の一覧画像Ｄ３が印刷されるので、一覧印刷の制御処理に必要なメモリーサイズを少なくすることが可能となる。
ここで、色変換テーブルと一覧印刷用色変換テーブルの構造が異なることには、入力表色系の座標軸に沿った格子点の数が異なること、色材の使用量の階調数が異なること、色変換テーブルに無い情報を一覧印刷用色変換テーブルが有すること、等が含まれる。
【００１６】
ところで、図３，５に例示されるように、前記一覧印刷用色変換テーブル３２０における入力表色系（例えばＲＧＢ表色系）の座標軸（例えばＲ軸とＧ軸とＢ軸）に沿った格子点の数Ｎ２は、前記色変換テーブル３１０における入力表色系の座標軸に沿った格子点の数Ｎ１よりも少なくてもよい。Ｎ２≧Ｎ１である場合も本技術に含まれるが、Ｎ２＜Ｎ１である場合、一覧印刷用色変換テーブル３２０の格子点数が少なくなるので、一覧印刷用色変換テーブル３２０を格納するメモリーサイズを少なくすることが可能となる。
【００１７】
また、前記一覧印刷用色変換テーブル３２０における色材の使用量の階調数Ｇ２は、前記色変換テーブル３１０における色材の使用量の階調数Ｇ１よりも少なくてもよい。Ｇ２≧Ｇ１である場合も本技術に含まれるが、Ｇ２＜Ｇ１である場合、一覧印刷用色変換テーブル３２０に規定される印刷用色材の使用量のデータ量が少なくなるので、一覧印刷用色変換テーブル３２０を格納するメモリーサイズを少なくすることが可能となる。
【００１８】
図５に例示されるように、前記一覧印刷用色変換テーブル３２０における入力表色系を構成する複数の成分は、明度に対応した明度成分３２１と、調整される色味に対応した色味成分３２２と、を含んでもよい。前記一覧印刷制御部Ｕ１は、前記入力画像Ｄ１に基づいて前記色味成分３２２が異なる画像Ｄ２ａの一覧である変換前の一覧画像Ｄ２を生成し、前記一覧印刷用色変換テーブル３２０を参照して前記変換前の一覧画像Ｄ２を変換し、変換後の一覧画像Ｄ３を印刷する制御を行ってもよい。本態様は、一覧印刷用色変換テーブル３２０を参照して変換前の一覧画像Ｄ２を一括して変換することができるので、一覧印刷の制御処理を高速化させることが可能となる。
ここで、色味成分には、色相と彩度の少なくとも一方に対応した成分、ガンマ特性に対応した成分、コントラストに対応した成分、等が含まれる。
【００１９】
前記一覧印刷用色変換テーブル３２０における前記明度成分３２１と前記色材の使用量との対応関係が、前記色変換テーブル３１０の対応関係に基づいて生成されてもよい。この態様は、モノクロの一覧画像の色精度を向上させることが可能となる。
【００２０】
本印刷制御装置は、前記出力画像Ｄ５の色味の調整量を入力し、入力座標値（例えば図３に示すＲＧＢの階調値Ｒ０ｉ，Ｇ０ｉ，Ｂ０ｉ）と印刷用の色材の使用量（例えばＣＭＹＫＬｋの階調値Ｃ０ｉ，Ｍ０ｉ，Ｙ０ｉ，Ｋ０ｉ，Ｌｋ０ｉ）との対応関係を規定した元色変換テーブル３００を前記入力した調整量に基づいて調整して前記色変換テーブル３１０を生成する色変換テーブル調整部Ｕ３をさらに備えてもよい。この態様は、出力画像の色味の調整量を入力することにより色変換テーブルが調整されるので、印刷制御処理に必要なメモリーサイズを少なくすることが可能となる。
【００２１】
前記色変換テーブル３１０に規定される入力座標値は、明度に対応した値とされてもよい。前記色変換テーブル３１０及び前記一覧印刷用色変換テーブル３２０に使用量が規定される色材は、有彩色の色材（例えばＣＭＹのインク）を含んでもよい。本態様は、モノクロの一覧画像を印刷するのに好適な印刷制御装置を提供することができる。
【００２２】
尚、本技術は、入力座標値と印刷用の色材の使用量との対応関係を規定した色変換テーブル３１０を参照して入力画像Ｄ１から出力画像を形成する画像形成装置であって、
前記色変換テーブル３１０とは異なる構造の一覧印刷用色変換テーブル３２０を参照して、前記色変換テーブル３１０を調整するための前記入力画像Ｄ１に基づいた一覧画像Ｄ３を形成する一覧画像形成部を備えた、態様も有する。
【００２３】
また、本技術は、入力座標値と印刷用の色材の使用量との対応関係を規定した色変換テーブル３１０を参照して入力画像Ｄ１から出力画像を形成する画像形成方法であって、
前記色変換テーブル３１０とは異なる構造の一覧印刷用色変換テーブル３２０を参照して、前記色変換テーブル３１０を調整するための前記入力画像Ｄ１に基づいた一覧画像Ｄ３を形成する、態様も有する。
【００２４】
これらの態様は、本番の印刷に使用する色変換テーブル３１０とは異なる構造の一覧印刷用色変換テーブル３２０が参照されて色変換テーブル調整用の一覧画像Ｄ３が形成されるので、一覧画像形成の制御処理に必要なメモリーサイズを少なくすることが可能となる。
ここで、一覧画像を形成することには、一覧画像を印刷すること、一覧画像を表示装置に表示すること、等が含まれる。むろん、出力画像を形成することには、出力画像を印刷すること、出力画像を表示装置に表示すること、等が含まれる。
【００２５】
（２）印刷制御装置及び画像形成装置を含む印刷装置の構成の具体例：
図１は、入力画像Ｄ１に基づいた一覧画像Ｄ３の印刷物４００を形成した後に本番のモノクロの出力画像Ｄ５を被印刷物４１０に形成する例を模式的に示している。図２は、印刷制御装置及び画像形成装置を含む印刷装置１としてインクジェットプリンターの一種であるシリアルプリンターの構成例を模式的に示している。むろん、本技術を適用可能なインクジェットプリンターは、ラインプリンター等でもよい。本技術を適用可能な印刷装置は、レーザープリンターといった電子写真方式のプリンター等でもよく、複写機、ファクシミリ、これらの機能を備えた複合機、等でもよい。モノクロ画像は、無彩色のインクで形成されてもよいが、有彩色のインクを併用することにより多様な色味が表現される。モノクロ画像には、セピア調のモノクロ画像、ウォーム調のモノクロ画像、クール調のモノクロ画像、等も含まれる。
【００２６】
尚、入力画像Ｄ１から一覧画像Ｄ２，Ｄ３を形成し機構部５０に一覧画像Ｄ３を印刷させる制御を行う一覧印刷制御部Ｕ１は、本技術の印刷制御装置の基本部分を構成する。また、入力画像Ｄ１から色変換前の一覧画像Ｄ２を生成し該一覧画像Ｄ２を色変換して一覧画像Ｄ３を形成する一覧画像形成部Ｕ２は、本技術の画像形成装置の基本部分を構成する。
【００２７】
図２に示す印刷装置１では、コントローラー１０、ＲＡＭ（Random Access Memory）２０、不揮発性メモリー３０、機構部５０、インターフェイス（Ｉ／Ｆ）７１，７２、操作パネル７３、等がバス８０に接続されて互いに情報を入出力可能とされている。
【００２８】
コントローラー１０は、ＣＰＵ（Central Processing Unit）１１、解像度変換部４１、色変換部４２、ハーフトーン処理部４３、ラスタライズ処理部４４、駆動信号送信部４５、等を備える。コントローラー１０は、ＳｏＣ（System on a Chip）等により構成することができる。
ＣＰＵ１１は、印刷装置１における情報処理や制御を中心的に行う装置である。
【００２９】
解像度変換部４１は、ホスト装置１００やメモリーカード９０等から受け取った画像の解像度を設定解像度に変換する。変換対象の画像は、例えば、ｓＲＧＢ表色系の成分といったＲＧＢ（赤、緑、青）の２５６階調の整数値を各画素に有するＲＧＢデータで表現される。図１に示す入力画像Ｄ１は、解像度変換が行われた色変換前の画像とする。入力画像Ｄ１は、互いに直交する（異なる）ｘ，ｙ方向へ画素ＰＸ１が並べられ、各画素ＰＸ１に階調値（ｒ，ｇ，ｂ）が格納されている。入力画像Ｄ１がグレイ画像である場合、ｒ＝ｇ＝ｂとされる。内部処理としては、各画素ＰＸ１にＲの階調値ｒとＧの階調値ｇとＢの階調値ｂを格納する必要は無く、階調値ｒ，ｇ，ｂのいずれか一つを明度に対応した階調値として各画素ＰＸ１に格納してもよい。ここで、明度は、例えば、ＣＩＥ（国際照明委員会）Ｌ*ａ*ｂ*色空間を構成する明度Ｌ*で定義される。
色変換部４２は、本番印刷用ＬＵＴ（本番印刷用色変換テーブル）３１０を参照して前記設定解像度のＲＧＢデータを各画素にＣＭＹＫＬｋの階調値を有するＣＭＹＫＬｋデータに変換する。以下、色変換テーブルを単にＬＵＴ（ルックアップテーブル）とも記載する。
【００３０】
ハーフトーン処理部４３は、ＣＭＹＫＬｋデータを構成する各画素の階調値に対して例えばディザ法や誤差拡散法や濃度パターン法といった所定のハーフトーン処理を行って前記階調値の階調数を減らし、ハーフトーンデータを生成する。ハーフトーンデータは、ドットの形成状況を表すデータであり、ドットの形成有無を表す２値データでもよいし、大中小の各ドットといった異なるサイズのドットに対応可能な３階調以上の多値データでもよい。
ラスタライズ処理部４４は、ハーフトーンデータを機構部５０でドットが形成される順番に並べ換えるラスタライズ処理を行ってラスタデータ（パス単位のイメージデータ）を生成する。
【００３１】
駆動信号送信部４５は、ヘッド６１の駆動素子６３に印加する電圧信号に対応した駆動信号ＳＧをラスタデータから生成して駆動回路６２へ出力する。例えば、ラスタデータが「大ドット形成」であれば大ドット用のインク滴を吐出させる駆動信号を出力し、ラスタデータが「小ドット形成」であれば小ドット用のインク滴を吐出させる駆動信号を出力する。
上記各部４１〜４５は、ＡＳＩＣ（Application Specific Integrated Circuit）で構成されてもよく、ＲＡＭ２０から処理対象のデータを直接読み込んだりＲＡＭ２０に処理後のデータを直接書き込んだりしてもよい。
【００３２】
コントローラー１０に制御される機構部５０は、キャリッジモーター５１、紙送り機構５３、キャリッジ６０、ヘッド６１、等を備える。キャリッジモーター５１は、図示しない複数の歯車及びベルト５２を介してキャリッジ６０を往復移動させる。紙送り機構５３は、キャリッジの移動方向とは異なる紙送り方向へ被印刷物４１０を搬送する。キャリッジ６０には、例えばＣＭＹＫＬｋのインク滴（液滴）６７を吐出するヘッド６１が搭載されている。ヘッド６１は、駆動回路６２、駆動素子６３、等を備える。駆動回路６２は、コントローラー１０から入力される駆動信号ＳＧに従って駆動素子６３に電圧信号を印加する。駆動素子６３には、ノズル６４に連通する圧力室内のインク（液体）６６に圧力を加える圧電素子、熱により圧力室内に気泡を発生させてノズル６４からインク滴６７を吐出させる駆動素子、等を用いることができる。ヘッド６１の圧力室には、インクカートリッジ（液体カートリッジ）６５からインク６６が供給される。インクカートリッジ６５とヘッド６１の組合せは、例えば、ＣＭＹＫＬｋのそれぞれに設けられる。圧力室内のインク６６は、駆動素子６３によってノズル６４から被印刷物４１０に向かってインク滴６７として吐出され、被印刷物４１０にインク滴６７のドットが形成される。複数のノズル６４と被印刷物４１０とが相対移動することにより、入力画像Ｄ１に対応した出力画像Ｄ５が被印刷物４１０に形成される。
【００３３】
尚、被印刷物（print substrate）は、印刷画像を保持する素材のことである。形状は長方形のものが一般的であるが、円形（例えばＣＤ−ＲＯＭ、ＤＶＤ等の光ディスク）、三角形、四角形、多角形などがあり、少なくとも、JIS（日本工業規格）P0001:1998（紙・板紙及びパルプ用語）に記載の紙・板紙の品種及び加工製品の全てを含む。樹脂シート、金属板、立体物、等も被印刷物に含まれる。
【００３４】
ＲＡＭ２０には、プログラムデータＰＲＧ１から展開されたプログラムＰＲＧ２、本番印刷用ＬＵＴ３１０、一覧印刷用ＬＵＴ（一覧印刷用色変換テーブル）３２０、等が格納される。プログラムＰＲＧ２は、一覧印刷制御部Ｕ１に対応した一覧印刷制御機能、一覧画像形成部Ｕ２に対応した一覧画像形成機能、及び、ＬＵＴ調整部（色変換テーブル調整部）Ｕ３に対応したＬＵＴ調整機能を印刷装置１に実現させるプログラムを含む。
不揮発性メモリー３０には、プログラムデータＰＲＧ１、元ＬＵＴ（元色変換テーブル）３００、係数テーブル３８０、等が記憶されている。不揮発性メモリー３０には、ＲＯＭ（Read Only Memory）、ハードディスクといった磁気記録媒体、等が用いられる。尚、プログラムデータＰＲＧ１を展開するとは、ＣＰＵ１１で解釈可能なプログラムとしてＲＡＭ２０に書き込むことを意味する。
【００３５】
カードＩ／Ｆ７１は、メモリーカード９０にデータを書き込んだりメモリーカード９０からデータを読み出したりする回路である。メモリーカード９０は、データの書き込み及び消去が可能な不揮発性半導体メモリーであり、デジタルカメラといった撮影装置により撮影された画像等が記憶される。画像は、例えばＲＧＢ色空間の画素値で表され、ＲＧＢの各画素値は、例えば０〜２５５の８ビットの階調値で表される。
通信Ｉ／Ｆ７２は、ホスト装置１００の通信Ｉ／Ｆ１７２に接続され、ホスト装置１００に対して情報を入出力する。通信Ｉ／Ｆ７２，１７２には、ＵＳＢ（Universal Serial Bus）等を用いることができる。ホスト装置１００には、パーソナルコンピューターといったコンピューター、デジタルカメラ、デジタルビデオカメラ、スマートフォンといった携帯電話、等が含まれる。
【００３６】
操作パネル７３は、出力部７４、入力部７５、等を有し、画像をカラー印刷するかモノクロ印刷するかの設定等、ユーザーが印刷装置１に対して各種の指示を入力可能である。出力部７４は、例えば、各種の指示に応じた情報や印刷装置１の状態を示す情報を表示する液晶パネル（表示部）で構成される。出力部７４は、これらの情報を音声出力してもよい。入力部７５は、例えば、カーソルキーや決定キーといった操作キー（操作入力部）で構成される。入力部７５は、表示画面への操作を受け付けるタッチパネル等でもよい。
【００３７】
図３は、係数テーブル３８０を参照して元ＬＵＴ３００から本番印刷用ＬＵＴ３１０を生成する例を模式的に示している。色度（色相及び彩度）、ガンマ特性、コントラスト、といった色味を細かく調整する場合、色味の調整に応じて予め本番印刷用ＬＵＴを用意しようとすると膨大なメモリーサイズが必要となる。そこで、本具体例では、色味の調整に応じて元ＬＵＴ３００から本番印刷用ＬＵＴ３１０を生成することにしている。尚、図３のＬＵＴ３００，３１０に示した具体的な数値は、あくまでも例に過ぎない。
【００３８】
ＬＵＴ３００，３１０は、入力座標値と印刷用のインクの使用量との対応関係を各格子点について規定している。図３に示すＬＵＴ３００，３１０は、モノクロ画像を印刷するためのデータテーブルであり、入力表色系であるＲＧＢ表色系の各成分が同じ値とされている。従って、ＬＵＴ３００，３１０は、実質的に１次元のデータテーブルである。カラー画像を印刷するためのＬＵＴは、通常、３次元のデータテーブルであり、データサイズを抑えるためＲＧＢ表色系の座標軸（Ｒ軸とＧ軸とＢ軸）に沿った格子点の数を入力座標値の階調数よりも少なくしている。１次元のＬＵＴ３００，３１０は、形成されるモノクロ画像の画質を向上させるため、格子点数Ｎ１を入力座標値の階調数（例えば８ビットで表現可能な２５６）に合わせている。これにより、補間演算を行わずに本番印刷用ＬＵＴ３１０を参照して色変換することができ、高い階調性、及び、高速の処理が可能となる。また、ＬＵＴ３００，３１０においてインク使用量に対応した出力座標値の階調数Ｇ１は、カラー画像印刷用のＬＵＴにおける出力座標値の階調数（例えば２５６）よりも多い階調数（例えば１６ビットで表現可能な約６５０００）にしている。これにより、高精度の色調整が可能である。
【００３９】
元ＬＵＴ３００は、入力座標値Ｒ０ｉ，Ｇ０ｉ，Ｂ０ｉと出力座標値Ｃ０ｉ，Ｍ０ｉ，Ｙ０ｉ，Ｋ０ｉ，Ｌｋ０ｉとの対応関係を規定しているものとする。ここで、ｉは、０〜２５５の整数である。内部処理としては、Ｒ０ｉ，Ｇ０ｉ，Ｂ０ｉのいずれか一つに対応したアドレスに出力座標値Ｃ０ｉ，Ｍ０ｉ，Ｙ０ｉ，Ｋ０ｉ，Ｌｋ０ｉを格納したデータテーブルを元ＬＵＴ３００としてもよい。
本番印刷用ＬＵＴ３１０は、入力座標値Ｒｉ，Ｇｉ，Ｂｉと出力座標値Ｃｉ，Ｍｉ，Ｙｉ，Ｋｉ，Ｌｋｉとの対応関係を規定しているものとする。内部処理としては、Ｒｉ，Ｇｉ，Ｂｉのいずれか一つに対応したアドレスに出力座標値Ｃｉ，Ｍｉ，Ｙｉ，Ｋｉ，Ｌｋｉを格納したデータテーブルをＬＵＴ３１０としてもよい。本具体例では、元ＬＵＴ３００に基づいて本番印刷用ＬＵＴ３１０を生成する際に有彩色の出力座標値Ｃｉ，Ｍｉ，Ｙｉのみ生成することにし、Ｋｉ＝Ｋ０ｉ、Ｌｋｉ＝Ｌｋ０ｉとしている。
【００４０】
係数テーブル３８０は、色味の調整に応じて元ＬＵＴ３００の出力座標値Ｃ０ｉ，Ｍ０ｉ，Ｙ０ｉから本番印刷用ＬＵＴ３１０の出力座標値Ｃｉ，Ｍｉ，Ｙｉを生成するためのデータが格納されている。図３に示す係数テーブル３８０は、テスト画像ｔのそれぞれについてＣＭＹの係数Ａｃｔ，Ａｍｔ，Ａｙｔが格納されている。尚、各テスト画像ｔには、図４に示すパラメーターＸ，Ｙの値が対応付けられている。図１に示す一覧画像Ｄ３のうちの一つのテスト画像Ｄ３ａに対応した色味が設定された場合、出力座標値Ｃｉ，Ｍｉ，Ｙｉの生成に必要なデータが係数テーブル３８０から読み出されて出力座標値Ｃｉ，Ｍｉ，Ｙｉが生成される。例えば、０＜Ａｃｔ≦１、０＜Ａｍｔ≦１、且つ、０＜Ａｙｔ≦１であるとして、テスト画像ｔに対応した色味が設定された場合、
Ｃｉ＝Ａｃｔ×Ｃ０ｉ
Ｍｉ＝Ａｍｔ×Ｍ０ｉ
Ｙｉ＝Ａｙｔ×Ｙ０ｉ
の計算式により出力座標値Ｃｉ，Ｍｉ，Ｙｉを算出することができる。また、あるテスト画像に対応した色味と別のテスト画像に対応した色味との間の色味が設定された場合、例えば、これらのテスト画像に対応した複数組の係数を用いて出力座標値Ｃ０ｉ，Ｍ０ｉ，Ｙ０ｉに乗じる係数を補間演算により求めて出力座標値Ｃｉ，Ｍｉ，Ｙｉを算出してもよい。
【００４１】
尚、出力座標値Ｃ０ｉ，Ｍ０ｉ，Ｙ０ｉに応じて係数Ａｃｔ，Ａｍｔ，Ａｙｔを１よりも大きくすることも可能である。
【００４２】
ところで、図１に示す印刷装置１は、被印刷物４１０に形成されるモノクロの出力画像Ｄ５の微妙な色味を確認することができるように、図４に示すような一覧画像Ｄ３の印刷物４００を形成するための一覧印刷制御部Ｕ１を備えている。図４に示す印刷物４００は、色味が互いに異なるテスト画像Ｄ３ａを縦横に並べた一覧画像Ｄ３が被印刷物４１０に印刷されたものである。便宜上、印刷されない識別番号ｔを各テスト画像Ｄ３ａの中に示している。各画像Ｄ３ａの下には、色度（例えば図５に示す成分ａ*，ｂ*）に対応したパラメーターＸ，Ｙの値が印刷されている。ここで、ａ*，ｂ*は、ＣＩＥ Ｌ*ａ*ｂ*色空間を構成する色成分である。パラメーターＸの値はａ*に対応し、パラメーターＹの値はｂ*に対応しているものとする。
【００４３】
図１に示す一覧印刷制御部Ｕ１は、まず、入力画像Ｄ１に基づいて色度（例えば図５に示す成分ａ*，ｂ*）が互いに異なるテスト画像Ｄ２ａの一覧である変換前の一覧画像Ｄ２を生成する。各画像Ｄ２ａは、入力画像Ｄ１と同様にｘ，ｙ方向へ画素が並べられ、各画素にＲＧＢの階調値が格納される。本具体例では、入力画像Ｄ１の階調値ｒをＲの階調値としてテスト画像Ｄ２ａの画素に格納し、印刷物４００における各画像Ｄ３ａの色味を表す階調値をＧ，Ｂの階調値としてテスト画像Ｄ２ａの画素に格納している。図１には、Ｇの階調値としてａ*に対応した階調値が格納され、Ｂの階調値としてｂ*に対応した階調値が格納されていることが示されている。あるテスト画像Ｄ２ｂの画素に階調値ｒ，ｇ１，ｂ１が格納され、別のテスト画像Ｄ２ｃの画素に階調値ｒ，ｇ２，ｂ２が格納されているものとすると、ｇ１，ｇ２がａ*に対応した階調値であり、ｂ１，ｂ２がｂ*に対応した階調値である。
【００４４】
一覧画像Ｄ２の各テスト画像Ｄ２ａは、一つの被印刷物４１０に複数形成されるように入力画像Ｄ１から縮小されることが好ましい。入力画像Ｄ１の縮小は、種々の画像処理方法により行うことができる。例えば、ｘ方向においてｍ画素おき（ｍは２以上の整数）、且つ、ｙ方向においてｎ画素おき（ｎは２以上の整数）となるように入力画像Ｄ１から画素ＰＸ１をサンプリングすると、ｘ方向において１／ｍ、且つ、ｙ方向において１／ｎに縮小されたテスト画像Ｄ２ａが生成される。また、ｘ方向においてｍ画素、且つ、ｙ方向においてｎ画素の単位で画素値を平均しても、ｘ方向において１／ｍ、且つ、ｙ方向において１／ｎに縮小されたテスト画像Ｄ２ａが生成される。むろん、各テスト画像Ｄ２ａには、色味を表す階調値も格納される。
【００４５】
一覧画像Ｄ２が生成されると、一覧印刷制御部Ｕ１は、本番印刷用ＬＵＴ３１０とは異なる構造の一覧印刷用ＬＵＴ３２０を参照して一覧画像Ｄ２を色変換する。図１に示すように、変換後の一覧画像Ｄ３の各画像Ｄ３ａは、一覧画像Ｄ２と同様にｘ，ｙ方向へ画素が並べられているが、各画素にＣＭＹＫＬｋの階調値が格納される。図１では、変換前のテスト画像Ｄ２ｂに格納されていた階調値ｒ，ｇ１，ｂ１が階調値ｃ１，ｍ１，ｙ１，ｋ，ｌｋに変換されてテスト画像Ｄ３ｂに格納され、別のテスト画像Ｄ２ｃに格納されていた階調値ｒ，ｇ２，ｂ２が階調値ｃ２，ｍ２，ｙ２，ｋ，ｌｋに変換されてテスト画像Ｄ３ｃに格納されていることが示されている。
【００４６】
図５は、一覧印刷用ＬＵＴ３２０の構造例を模式的に示している。尚、一覧印刷用ＬＵＴ３２０に示した具体的な数値は、あくまでも例に過ぎない。一覧印刷用ＬＵＴ３２０は、入力座標値Ｒｊ，Ｇｊ，Ｂｊと出力座標値Ｃｊ，Ｍｊ，Ｙｊ，Ｋｊ，Ｌｋｊとの対応関係を各格子点について規定している。この一覧印刷用ＬＵＴ３２０における入力表色系を構成する複数の成分は、明度に対応した明度成分３２１と、調整される色味に対応した色味成分３２２と、を含んでいる。本具体例では、テスト画像Ｄ２ａの階調値ｒを一覧印刷用ＬＵＴ３２０のＲの入力座標値Ｒｊに対応させ、テスト画像Ｄ２ａの階調値ｇ１，ｇ２，…を一覧印刷用ＬＵＴ３２０のＧの入力座標値Ｇｊに対応させ、テスト画像Ｄ２ａの階調値ｂ１，ｂ２，…を一覧印刷用ＬＵＴ３２０のＢの入力座標値Ｂｊに対応させている。すなわち、一覧印刷用ＬＵＴ３２０は擬似的なＲＧＢ表色系を入力表色系とする３次元のデータテーブルであり、Ｒの入力座標値Ｒｊが明度に対応した階調値であり、Ｇの入力座標値Ｇｊがａ*に対応した階調値であり、Ｂの入力座標値Ｂｊがｂ*に対応した階調値である。出力座標値Ｃｊ，Ｍｊ，Ｙｊ，Ｋｊ，Ｌｋｊは、入力座標値Ｇｊ，Ｂｊに対応した色度ａ*，ｂ*が色変換後のテスト画像Ｄ３ａに付与されるように設定されている。
【００４７】
本来、モノクロ画像用のＬＵＴにおけるＲＧＢの入力座標値Ｒｊ，Ｇｊ，Ｂｊは、Ｒｊ＝Ｇｊ＝Ｂｊであるはずである。本具体例では、入力座標値Ｒｊ，Ｇｊ，Ｂｊの役割を変更し、入力座標値Ｒｊを明度に対応した階調値、入力座標値Ｇｊ，Ｂｊを色調整の切り換え用の階調値として、本番印刷用ＬＵＴ３１０を簡素化したものを複数内部に備える一覧印刷用ＬＵＴ３２０を作成することにしている。変換前の一覧画像Ｄ２を一覧印刷用ＬＵＴ３２０に対応するように作成することにより、一つの一覧印刷用ＬＵＴ３２０を参照して一覧画像Ｄ２を一括して色変換して被印刷物４１０に一覧画像Ｄ３を印刷することが可能となり、高速の処理が可能である。
【００４８】
入力座標値Ｇｊ，Ｂｊの組合せは調整される色味に対応しているので、入力座標値Ｇｊ，Ｂｊの組合せに応じて一覧印刷用ＬＵＴ３２０を領域分けすることができる。一覧印刷用ＬＵＴ３２０の各領域（例えば図５に示す領域Ｒ１〜Ｒ５）の出力座標値Ｃｊ，Ｍｊ，Ｙｊ，Ｋｊ，Ｌｋｊは、元ＬＵＴ３００から係数テーブル３８０を参照して生成される本番印刷用ＬＵＴ３１０に基づいて決定することができる。
例えば、一覧印刷用ＬＵＴ３２０の（Ｇｊ，Ｂｊ）＝（０，０）の領域Ｒ１の出力座標値については、色変換後の画像の色度ａ*，ｂ*をともに調整範囲内で最小にする係数Ａｃｔ，Ａｍｔ，Ａｙｔを適用した本番印刷用ＬＵＴ３１０に基づいて決定することができる。この場合、本番印刷用ＬＵＴ３１０からＮ２箇所の入力座標値Ｒｉ＝Ｇｉ＝Ｂｉ＝Ｒｊに対応した出力座標値Ｃｉ，Ｍｉ，Ｙｉ，Ｋｉ，Ｌｋｉ（階調数Ｇ１）を抽出し、これらの出力座標値を階調数Ｇ２（Ｇ２＜Ｇ１）の出力座標値Ｃｊ，Ｍｊ，Ｙｊ，Ｋｊ，Ｌｋｊにすればよい。得られる出力座標値Ｃｊ，Ｍｊ，Ｙｊ，Ｋｊ，Ｌｋｊを入力座標値（Ｒｊ，Ｇｊ，Ｂｊ）＝（Ｒｊ，０，０）に対応付けると、領域Ｒ１の部分の一覧印刷用ＬＵＴ３２０が生成される。尚、色変換後の画像の色度ａ*，ｂ*は、明度に応じて異なる色度とすることができる。
【００４９】
一覧印刷用ＬＵＴ３２０の（Ｇｊ，Ｂｊ）＝（０，２５５）の領域Ｒ２の出力座標値については、色変換後の画像のａ*を調整範囲内で最小にしｂ*を調整範囲内で最大にする係数Ａｃｔ，Ａｍｔ，Ａｙｔを適用した本番印刷用ＬＵＴ３１０に基づいて決定することができる。この場合も、本番印刷用ＬＵＴ３１０からＮ２箇所の入力座標値Ｒｉ＝Ｇｉ＝Ｂｉ＝Ｒｊに対応した出力座標値Ｃｉ，Ｍｉ，Ｙｉ，Ｋｉ，Ｌｋｉを抽出し、これらの出力座標値を階調数Ｇ２（Ｇ２＜Ｇ１）の出力座標値Ｃｊ，Ｍｊ，Ｙｊ，Ｋｊ，Ｌｋｊにすればよい。得られる出力座標値Ｃｊ，Ｍｊ，Ｙｊ，Ｋｊ，Ｌｋｊを入力座標値（Ｒｊ，Ｇｊ，Ｂｊ）＝（Ｒｊ，０，２５５）に対応付けると、領域Ｒ２の部分の一覧印刷用ＬＵＴ３２０が生成される。
一覧印刷用ＬＵＴ３２０の（Ｇｊ，Ｂｊ）＝（１２８，１２８）の領域Ｒ３の出力座標値については、色変換後の画像の色度ａ*，ｂ*を調整範囲の略中央にする係数Ａｃｔ，Ａｍｔ，Ａｙｔを適用した本番印刷用ＬＵＴ３１０に基づいて決定することができる。領域Ｒ４，Ｒ５の出力座標値についても、同様にして、決定することができる。
【００５０】
以上説明したようにして、係数Ａｃｔ，Ａｍｔ，Ａｙｔに応じた各本番印刷用ＬＵＴの対応関係に基づいて一覧印刷用ＬＵＴ３２０における入力座標値Ｒｊと出力座標値Ｃｊ，Ｍｊ，Ｙｊ，Ｋｊ，Ｌｋｊとの対応関係が生成される。
【００５１】
３次元の一覧印刷用ＬＵＴ３２０は、擬似的なＲＧＢの座標軸に沿った格子点の数Ｎ２を本番印刷用ＬＵＴ３１０の格子点数Ｎ１に合わせると、膨大なデータサイズとなる。そこで、格子点数Ｎ２をＮ１よりも小さい数（例えば１７）にして一覧印刷用ＬＵＴ３２０のデータサイズを抑え、一覧印刷用ＬＵＴ３２０を格納するメモリーサイズを少なくしている。図５に示す一覧印刷用ＬＵＴ３２０の場合、ＲＧＢの座標軸に沿った格子点は、入力座標値０，１６，３２，…，２２４，２４０，２５５に対応した１７点とされている。ここで、ＲＧＢの座標軸に沿った格子点の数が本番印刷用ＬＵＴ３１０の格子点数Ｎ１よりも小さいとは、Ｒ軸に沿った格子点の数がＮ１よりも小さく、Ｇ軸に沿った格子点の数がＮ１よりも小さく、Ｂ軸に沿った格子点の数がＮ１よりも小さいことを意味する。
【００５２】
また、一覧印刷用ＬＵＴ３２０におけるインク使用量に対応した出力座標値Ｃｊ，Ｍｊ，Ｙｊ，Ｋｊ，Ｌｋｊの階調数Ｇ２は、本番印刷用ＬＵＴ３１０の出力座標値Ｃｉ，Ｍｉ，Ｙｉ，Ｋｉ，Ｌｋｉの階調数よりも少ない数（例えば８ビットで表現可能な２５６）にしている。これによっても、一覧印刷用ＬＵＴ３２０のデータサイズを抑え、一覧印刷用ＬＵＴ３２０を格納するメモリーサイズを少なくしている。
【００５３】
図６は、入力座標値Ｇｊ，Ｂｊに色味成分ａ*，ｂ*を対応付ける例を模式的に示している。モノクロ画像は、無彩色に近い範囲内の色で表現することができるため、ＣＭＹの有彩色インクで表現可能な色度ａ*，ｂ*の全範囲Ａ０を入力座標値Ｇｊ，Ｂｊに対応付ける必要は無い。図６の例では、前記範囲Ａ０のうちａｍｉｎ≦ａ*≦ａｍａｘ、且つ、ｂｍｉｎ≦ｂ*≦ｂｍａｘの範囲Ａ１を入力座標値Ｇｊ，Ｂｊに対応付けている。ここで、ａｍｉｎ＜０、ａｍａｘ＞０、ｂｍｉｎ＜０、及び、ｂｍａｘ＞０であり、ａｍｉｎをＧｊ＝０、ａｍａｘをＧｊ＝２５５、ｂｍｉｎをＢｊ＝０、及び、ｂｍａｘをＢｊ＝２５５に対応付けている。図６の下部には、前記範囲Ａ１を拡大して示し、一覧印刷用ＬＵＴ３２０の領域Ｒ１〜Ｒ５に対応した位置も示している。
【００５４】
変換前の一覧画像Ｄ２の各テスト画像Ｄ２ａには色度ａ*，ｂ*に対応したＧ，Ｂの階調値が格納されているので、３次元の一覧印刷用ＬＵＴ３２０を参照することにより一覧画像Ｄ２を一括して色変換することができる。従って、一覧印刷の制御処理が迅速に行われる。
【００５５】
一覧印刷用ＬＵＴ３２０を参照して一覧画像Ｄ２を色変換すると、一覧印刷制御部Ｕ１は、変換後の一覧画像Ｄ３を印刷する制御を行う。これにより、色味が互いに異なるテスト画像Ｄ３ａを縦横に並べた一覧画像Ｄ３が被印刷物４１０に設けられた印刷物４００が形成される。印刷装置１のユーザーは、一覧画像Ｄ３を見て本番の出力画像Ｄ５の色味を設定することができる。
【００５６】
（３）印刷制御処理、作用、及び、効果の説明：
図７は、印刷制御方法及び画像形成方法を含む印刷制御処理の例を示している。この処理は、プログラムＰＲＧ２に従って印刷装置１のコントローラー１０が主体となって行う。ここで、ステップＳ１０２〜Ｓ１１０は一覧印刷制御部Ｕ１及び一覧画像形成部Ｕ２に対応し、ステップＳ１１２〜Ｓ１１４はＬＵＴ調整部Ｕ３に対応している。以下、「ステップ」の記載を省略する。印刷制御処理は、電気回路により実現されてもよいし、プログラムにより実現されてもよい。
【００５７】
例えば、メモリーカード９０に記録された画像が操作パネル７３で選択操作されると、印刷装置１は、選択された画像をＲＡＭ２０に格納し、印刷制御処理を開始させる。また、印刷装置１は、ホスト装置１００から画像及び印刷指示を受信してＲＡＭ２０に格納した時に印刷制御処理を開始させてもよい。
印刷制御処理が開始されると、印刷装置１は、ＲＡＭ２０に格納した画像を解像度変換部４１により解像度変換し、印刷方法に従って処理を分岐させる（Ｓ１０２）。例えば、操作パネル７３でカラー印刷が設定される等、画像をカラー印刷する場合、印刷装置１は、図示しないカラー印刷用のＬＵＴを参照して入力画像を色変換し、変換後の画像を印刷する制御を行う。操作パネル７３でモノクロ印刷が設定される等、画像をモノクロ印刷する場合、画像がカラー画像であるかモノクロ画像であるかに応じて処理が分かれる。カラー画像をモノクロ印刷する場合、印刷装置１は、カラー画像をグレイ画像に変換し（Ｓ１０４）、処理をＳ１０６に進める。カラー画像の画素値を（ｒ０，ｇ０，ｂ０）とし、変換後のグレイ画像の画素値を（ｒ，ｇ，ｂ）とすると、グレイ画像への変換は、例えば、計算式ｒ＝ｇ＝ｂ＝（ｒ０＋ｇ０＋ｂ０）／３に従って行うことができる。グレイ画像をモノクロ印刷する場合、印刷装置１は、そのまま処理をＳ１０６に進める。
【００５８】
Ｓ１０６では、図１で示したようにグレイの入力画像Ｄ１に基づいて変換前の一覧画像Ｄ２を生成する。例えば、コントローラー１０は、入力画像Ｄ１を縮小し、得られる縮小画像を各テスト画像Ｄ２ａの位置に並べ、マトリクス配置された各縮小画像のＧの階調値をａ*に対応した階調値に置き換え、各縮小画像のＢの階調値をｂ*に対応した階調値に置き換える。置き換えられるＧ，Ｂの階調値は、テスト画像Ｄ２ａの位置に応じた値とされる。図１では、テスト画像Ｄ２ｂの画素に階調値ｒ，ｇ１，ｂ１が格納され、別のテスト画像Ｄ２ｃの画素に階調値ｒ，ｇ２，ｂ２が格納されたことが示されている。例えば、一覧画像Ｇ２の中心画像を生成する場合、図５に示す一覧印刷用ＬＵＴ３２０の領域Ｒ３の入力座標値（Ｒｊ，Ｇｊ，Ｂｊ）＝（Ｒｊ，１２８，１２８）に合わせてＧ，Ｂの画素値がいずれも１２８に置き換えられる。色変換後の画像の色度ａ*，ｂ*をともに調整範囲内で最小にするテスト画像Ｄ２ａを生成する場合、領域Ｒ１の入力座標値（Ｒｊ，Ｇｊ，Ｂｊ）＝（Ｒｊ，０，０）に合わせてＧ，Ｂの画素値がいずれも０に置き換えられる。色変換後の画像のａ*を調整範囲内で最小にしｂ*をともに調整範囲内で最小にするテスト画像Ｄ２ａを生成する場合、領域Ｒ２の入力座標値（Ｒｊ，Ｇｊ，Ｂｊ）＝（Ｒｊ，０，２５５）に合わせてＧの画素値が０に置き換えられＢの画素値が２５５に置き換えられる。
以上のようにして、色度ａ*，ｂ*が異なる画像Ｄ２ａの一覧である変換前の一覧画像Ｄ２が生成される。
【００５９】
Ｓ１０８では、色変換部４２において、図５で示したような一覧印刷用ＬＵＴ３２０を参照して一覧画像Ｄ２を色変換する。各テスト画像Ｄ２ａに格納されたＧ，Ｂの階調値の組合せは調整される色味に対応しているので、テスト画像Ｄ２ａ毎に一覧印刷用ＬＵＴ３２０の異なる領域が参照される。例えば、変換前のテスト画像Ｄ２ａに格納されている画素値（ｒ，１２８，１２８）は、図５に示す一覧印刷用ＬＵＴ３２０の領域Ｒ３が参照されて階調値Ｃｊ，Ｍｊ，Ｙｊ，Ｋｊ，Ｌｋｊに変換される。ここで、一覧印刷用ＬＵＴ３２０のＲの入力座標値にＲの画素値ｒが無ければ、画素値ｒの近傍にある複数のＲの入力座標値に対応した出力座標値を用いた補間演算により変換後の階調値Ｃｊ，Ｍｊ，Ｙｊ，Ｋｊ，Ｌｋｊを算出すればよい。前記補間演算は、１次元の補間演算でもよく、線形補間を行ってもよいし非線形補間を行ってもよい。
【００６０】
Ｓ１１０では、変換後の一覧画像Ｄ３をハーフトーン処理部４３でハーフトーンデータに変換し、このハーフトーンデータをラスタライズ処理部４４で並べ換え、生成されるラスタデータに対応した駆動信号ＳＧを駆動信号送信部４５で生成して駆動回路６２へ出力する。このようにして、一覧画像Ｄ３を印刷する制御が行われる。機構部５０は、駆動信号ＳＧに従って、図４に示すような一覧画像Ｄ３を被印刷物４１０に印刷する。一覧画像Ｄ３の各テスト画像Ｄ３ａには、ａ*に対応したパラメーターＸの値、及び、ｂ*に対応したパラメーターＹの値が付されている。
【００６１】
Ｓ１１２では、図８に示すような操作画面７４ａを出力部７４に表示し、操作パネル７３で出力画像Ｄ５の色味の調整量の入力を受け付ける。操作画面７４ａには、パラメーターＸの値を設定するためのスライダー７４ｂ、及び、パラメーターＹの値を設定するためのスライダー７４ｃが設けられている。パラメーターＸ，Ｙの値は、色味の調整量に相当する。印刷装置１は、スライダー７４ｂ，７４ｃの位置を設定するキー操作を入力部７５で受け付け、設定された位置に対応したパラメーターＸ，Ｙの値を取得する。従って、ユーザーは、印刷物４００の一覧画像Ｄ３の中から印刷したい色味のテスト画像Ｄ３ａに付されたパラメーターＸ，Ｙの値を操作パネル７３に入力することにより、印刷したい色味で本番の出力画像Ｄ５を印刷させることができる。
【００６２】
本番印刷用ＬＵＴ３１０を調整するために作成された一覧印刷用ＬＵＴ３２０は、入力表色系の座標軸に沿った格子点の数Ｎ２が本番印刷用ＬＵＴ３１０における格子点の数Ｎ１よりも少なく、インク使用量の階調数Ｇ２が本番印刷用ＬＵＴ３１０におけるインク使用量の階調数Ｇ１よりも少ない。このため、一覧印刷用ＬＵＴ３２０をそのまま本番印刷用ＬＵＴ３１０にすることはできない。そこで、Ｓ１１４では、入力を受け付けた調整量（パラメーターＸ，Ｙの値）に基づいて元ＬＵＴ３００を調整して本番印刷用ＬＵＴ３１０をＲＡＭ２０に生成する。
【００６３】
本番印刷用ＬＵＴ３１０は、図３で示した係数テーブル３８０を参照して生成することができる。例えば、テスト画像ｔに相当するＸ＝Ｘｔ且つＹ＝Ｙｔが設定された場合、
（Ｃｉ，Ｍｉ，Ｙｉ，Ｋｉ，Ｌｋｉ）
＝（Ａｃｔ×Ｃ０ｉ，Ａｍｔ×Ｍ０ｉ，Ａｙｔ×Ｙ０ｉ，Ｋ０ｉ，Ｌｋ０ｉ）
により本番印刷用ＬＵＴ３１０の出力座標値Ｃｉ，Ｍｉ，Ｙｉ，Ｋｉ，Ｌｋｉを求めることができる。また、Ｘ＝Ｘｔ且つＹ＝Ｙｔに一致する係数が係数テーブル３８０に格納されていない場合、Ｘ＝Ｘｔ且つＹ＝Ｙｔの近傍にある複数組のパラメーター値に対応した係数を補間演算により算出し、得られた係数を用いて出力座標値を求めればよい。簡単な例として、あるテスト画像（例えばテスト画像「１」とする）に対応したパラメーター値Ｘ１，Ｙ１と別のテスト画像（例えばテスト画像「２」とする）に対応したパラメーター値Ｘ２，Ｙ２との間のパラメーター値Ｘｔ，Ｙｔが設定されたとする。この場合、例えば、Ｘ−Ｙ平面上においてパラメーター値Ｘ１，Ｙ１とパラメーター値Ｘ２，Ｙ２との距離に対するパラメーター値Ｘ１，Ｙ１とパラメーター値Ｘｔ，Ｙｔとの距離の比を重みα（０≦α≦１）で表すと、
Ｃｉ＝｛（１−α）×Ａｃ１＋α×Ａｃ２｝×Ｃ０ｉ
Ｍｉ＝｛（１−α）×Ａｍ１＋α×Ａｍ２｝×Ｍ０ｉ
Ｙｉ＝｛（１−α）×Ａｙ１＋α×Ａｙ２｝×Ｙ０ｉ
Ｋｉ＝Ｋ０ｉ
Ｌｋｉ＝Ｌｋ０ｉ
により出力座標値Ｃｉ，Ｍｉ，Ｙｉ，Ｋｉ，Ｌｋｉを求めることができる。
【００６４】
Ｓ１１６では、色変換部４２において、上記本番印刷用ＬＵＴ３１０を参照してＲＧＢ表色系の入力画像Ｄ１を色変換する。これにより、入力座標値Ｒｉ＝Ｇｉ＝Ｂｉが出力座標値Ｃｉ，Ｍｉ，Ｙｉ，Ｋｉ，Ｌｋｉに変換され、入力画像Ｄ１の各画素の階調値ｒ＝ｇ＝ｂがＣＭＹＫＬｋの階調値に変換される。
【００６５】
Ｓ１１８では、色変換後の画像をハーフトーン処理部４３でハーフトーンデータに変換し、このハーフトーンデータをラスタライズ処理部４４で並べ換え、生成されるラスタデータに対応した駆動信号ＳＧを駆動信号送信部４５で生成して駆動回路６２へ出力する。このようにして、入力画像Ｄ１に対応する出力画像Ｄ５を印刷する制御が行われる。機構部５０は、駆動信号ＳＧに従って、図５に示すように出力画像Ｄ５を被印刷物４１０に形成する。
【００６６】
以上説明したように、本番印刷用ＬＵＴ３１０を調整するため被印刷物４１０に印刷される一覧画像Ｄ３は、本番印刷用ＬＵＴ３１０とは異なる構造の一覧印刷用ＬＵＴ３２０を参照した色変換後の一覧画像に基づいて形成される。本具体例の一覧印刷用ＬＵＴ３２０は、入力表色系の座標軸に沿った格子点の数Ｎ２が本番印刷用ＬＵＴ３１０における格子点数Ｎ１よりも少なく、インク使用量の階調数Ｇ２が本番印刷用ＬＵＴ３１０におけるインク使用量の階調数Ｇ１よりも少ない。従って、本技術は、一覧印刷の制御処理に必要なメモリーサイズを少なくすることが可能となる。
【００６７】
（４）変形例：
本発明は、種々の変形例が考えられる。
例えば、ＬＵＴの入力表色系は、ＲＧＢ表色系以外にも、ＣＭＹ表色系、Ｌ*ａ*ｂ*表色系、４次元のＣＭＹＫ表色系、等でもよい。出力座標値に規定する色材は、ＣＭＹＫＬｋ以外にも、Ｌｃ（ライトシアン）、Ｌｍ（ライトマゼンタ）、ＬＬｋ（ライトライトブラック）、Ｄｙ（ダークイエロー）、Ｏｒ（オレンジ）、Ｇｒ（グリーン）、Ｂ（ブルー）、Ｖ（バイオレット）、画質向上用の無着色の色材、等が含まれてもよい。ここで、ＬｃはＣよりも低濃度のシアンであり、ＬｍはＭよりも低濃度のマゼンタであり、ＬＬｋはＬｋよりも低濃度の無彩色であり、ＤｙはＹよりも高濃度のイエローである。Ｌｃ及びＬｍを使用する場合、本番印刷用ＬＵＴを生成するために使用する係数は、元ＬＵＴにおけるＬｃ，Ｌｍ，Ｙの出力座標値に乗じる係数でもよい。また、ＣＭＹＫＬｋの一部の色材が無い場合も、本技術に含まれる。
【００６８】
一覧印刷用ＬＵＴは、３次元のＬＵＴ以外にも、色味に応じて分けられた１次元のＬＵＴ等でもよい。
一覧印刷用ＬＵＴにおいて入力表色系を構成する明度成分は、Ｒの入力座標値に対応させる以外にも、Ｇ又はＢの入力座標値に対応させてもよい。むろん、他の成分と重複しない限り、ａ*成分をＲ又はＢの入力座標値に対応させてもよいし、ｂ*成分をＲ又はＧの入力座標値に対応させてもよい。
色変換の対象の入力画像は、グレイ画像のみならず、カラー画像でもよい。
本技術には、図７のＳ１０２の判断処理を行わずにＳ１０６〜Ｓ１１８のモノクロ画像の印刷制御処理を行う技術も含まれる。
また、本技術には、一覧画像を印刷する制御を行う技術以外にも、色変換後の一覧画像を表示する技術（画像形成装置、画像形成方法、等）も含まれる。
【００６９】
上述した処理は、印刷装置で行われる以外にも、印刷装置に接続される外部装置で行われてもよい。図９は、ホスト装置１００が行う印刷制御処理の例を示している。この処理は、例えば、ホスト装置１００にインストールされたプリンタードライバーが起動されることにより行われる。例えば、ホスト装置１００で起動したアプリケーションプログラムの画像選択画面で印刷対象の画像が選択操作されると、ホスト装置１００は、印刷制御処理を開始させる。
印刷制御処理が開始されると、ホスト装置１００は、印刷方法に従って処理を分岐させる（Ｓ２０２）。例えば、表示した印刷設定画面でカラー印刷が設定される等、画像をカラー印刷する場合、ホスト装置１００は、図示しないカラー印刷用のＬＵＴを参照して入力画像を色変換し、変換後の画像を印刷装置１に送信して印刷させる。印刷設定画面でモノクロ印刷が設定される等、画像をモノクロ印刷する場合、画像がカラー画像であるかモノクロ画像であるかに応じて処理が分かれる。カラー画像をモノクロ印刷する場合、ホスト装置１００は、カラー画像をグレイ画像に変換し（Ｓ２０４）、処理をＳ２０６に進める。
【００７０】
Ｓ２０６では、図１で示したようにグレイの入力画像Ｄ１に基づいて変換前の一覧画像Ｄ２を生成する。Ｓ２０８では、図５で示したような一覧印刷用ＬＵＴ３２０を参照して一覧画像Ｄ２を色変換する。Ｓ２１０では、変換後の一覧画像Ｄ３を印刷装置１に送信して印刷させる。印刷装置１は、受信した一覧画像Ｄ３に従って、図４に示すような一覧画像Ｄ３を被印刷物４１０に印刷する。尚、ホスト装置１００は、ハーフトーン処理を行ってもよいし、ラスタライズ処理を行ってもよい。
【００７１】
Ｓ２１２では、図１０に示すような操作画面１７４ａを表示装置１７４に表示し、図示しない入力部（例えばポインティングデバイスとキーボード）で出力画像Ｄ５の色味の調整量の入力を受け付ける。操作画面１７４ａには、パラメーターＸ，Ｙの座標を設定するためのＸ−Ｙ平面上のカラーサークル１７４ｂ、パラメーターＸの値を直接入力するためのＸ入力欄１７４ｃ、パラメーターＹの値を直接入力するためのＹ入力欄１７４ｄ、ガンマ補正値γを入力するためのγ入力欄１７４ｅ、及び、コントラスト補正値を入力するためのコントラスト入力欄１７４ｆが設けられている。ガンマ補正値は、出力画像Ｄ５の明るさを調整するためのパラメーターである。コントラスト補正値は、出力画像Ｄ５のコントラストを調整するためのパラメーターである。ガンマ補正値及びコントラスト補正値は、本番印刷用ＬＵＴ３１０の出力座標値に反映される。ホスト装置１００は、ポインター１７４ｐを移動させるための操作を入力部で受け付け、サークル１７４ｂ内の座標が設定された場合には該座標に対応したパラメーターＸ，Ｙの値を算出して入力欄１７４ｃ，１７４ｄに表示する。ホスト装置１００は、入力欄１７４ｃ，１７４ｄに表示され、又は、入力されたパラメーターＸ，Ｙの値を取得する。また、ホスト装置１００は、γ入力欄１７４ｅに入力されたガンマ補正値γの値を取得し、コントラスト入力欄１７４ｆに入力されたコントラスト補正値を取得する。図示していないが、パラメーターＸ，Ｙの値、ガンマ補正値、及び、コントラスト補正値に基づいて出力画像のプレビュー表示を行ってもよい。
【００７２】
Ｓ２１４では、入力を受け付けた調整量（パラメーターＸ，Ｙの値、ガンマ補正値、及び、コントラスト補正値）に基づいて元ＬＵＴ３００を調整して本番印刷用ＬＵＴ３１０を生成する。ガンマ補正及びコントラスト補正は、公知の方法により行うことができる。例えば、ガンマ補正は、補正前の入力座標値をＺ、補正後の入力座標値をＺ’として、
Ｚ’＝２５５×（Ｚ／２５５）(1/γ)
の計算式により行うことができる。元ＬＵＴ３００の出力座標値Ｃ０ｉ，Ｍ０ｉ，Ｙ０ｉ，Ｋ０ｉ，Ｌｋ０ｉに対してガンマ補正及びコントラスト補正を行い、補正後の出力座標値Ｃ０’ｉ，Ｍ０’ｉ，Ｙ０’ｉ，Ｋ０’ｉ，Ｌｋ０’ｉのうちＣＭＹの出力座標値を係数テーブル３８０の係数で調整することにより、本番印刷用ＬＵＴ３１０の出力座標値Ｃｉ，Ｍｉ，Ｙｉ，Ｋｉ，Ｌｋｉを求めることができる。
【００７３】
Ｓ２１６では、上記本番印刷用ＬＵＴ３１０を参照してＲＧＢ表色系の入力画像Ｄ１を色変換する。Ｓ２１８では、色変換後の画像を印刷装置１に送信して印刷させる。印刷装置１は、受信した画像に従って、図５に示すような出力画像Ｄ５を被印刷物４１０に形成する。
【００７４】
本変形例も、本番印刷用ＬＵＴ３１０とは異なる構造の一覧印刷用ＬＵＴ３２０が参照されて本番印刷用ＬＵＴ調整用の一覧画像が印刷されるので、一覧印刷の制御処理に必要なメモリーサイズを少なくすることが可能となる。
【００７５】
さらに、一覧印刷用ＬＵＴの入力座標値に対応付ける色味成分は、色度ａ*，ｂ*に対応した成分のみならず、ガンマ特性に対応した成分、コントラストに対応した成分、等でもよい。
図１１は、一覧印刷用ＬＵＴ３２０のＧ，Ｂの入力座標値に色味成分を対応付ける変形例を模式的に示している。本変形例では、Ｇ，Ｂの入力座標値がともに６４〜１９２の範囲Ａ１１においてＧ，Ｂの入力座標値が色度ａ*，ｂ*に対応している。Ｇ，Ｂの入力座標値０〜２５５の範囲のうち前記範囲Ａ１１を除いた部分には、色度ａ*，ｂ*に対応した成分以外の色味成分を対応付けることが可能である。例えば、Ｇ，Ｂの入力座標値がともに６４未満の範囲Ａ１２においてガンマ補正値を対応付け、Ｇ，Ｂの入力座標値がともに１９２よりも大きい範囲Ａ１３においてコントラスト補正値を対応付けてもよい。
【００７６】
一覧印刷用ＬＵＴ３２０において各範囲Ａ１１〜Ａ１３の出力座標値Ｃｊ，Ｍｊ，Ｙｊ，Ｋｊ，Ｌｋｊは、元ＬＵＴ３００から生成される本番印刷用ＬＵＴ３１０に基づいて決定することができる。上記範囲Ａ１１の出力座標値は、元ＬＵＴ３００から図３で示したような係数テーブル３８０を参照して生成される本番印刷用ＬＵＴ３１０に基づいて決定することができる。上記範囲Ａ１２の出力座標値は、元ＬＵＴ３００の出力座標値Ｃ０ｉ，Ｍ０ｉ，Ｙ０ｉ，Ｋ０ｉ，Ｌｋ０ｉに対してガンマ補正を行うことにより生成される本番印刷用ＬＵＴ３１０に基づいて決定することができる。上記範囲Ａ１３の出力座標値は、元ＬＵＴ３００の出力座標値Ｃ０ｉ，Ｍ０ｉ，Ｙ０ｉ，Ｋ０ｉ，Ｌｋ０ｉに対してコントラスト補正を行うことにより生成される本番印刷用ＬＵＴ３１０に基づいて決定することができる。
【００７７】
図１で示したように入力画像Ｄ１の縮小画像を各テスト画像Ｄ２ａの位置に並べたとき、色度ａ*，ｂ*が互いに異なるテスト画像Ｄ２ａについては、上記範囲Ａ１１内で各縮小画像のＧ，Ｂの階調値を色度ａ*，ｂ*に対応した階調値に置き換えればよい。ガンマ補正値が互いに異なるテスト画像Ｄ２ａについては、上記範囲Ａ１２内で各縮小画像のＧ，Ｂの階調値をガンマ補正値に対応した階調値に置き換えればよい。コントラスト補正値が互いに異なるテスト画像Ｄ２ａについては、上記範囲Ａ１３内で各縮小画像のＧ，Ｂの階調値をコントラスト補正値に対応した階調値に置き換えればよい。すると、一覧印刷用ＬＵＴ３２０を参照して一覧画像Ｄ２を一括して色変換することができ、変換後の一覧画像Ｄ３に従って被印刷物４１０に一覧画像Ｄ３を形成することができる。ユーザーは、一覧画像Ｄ３の中から印刷したい色味（色度、ガンマ特性、及び、コントラスト）のテスト画像Ｄ３ａに付されたパラメーターの値を操作入力することにより、印刷したい色味で本番の出力画像Ｄ５を印刷させることができる。
【００７８】
（５）結び：
以上説明したように、本発明によると、種々の態様により、一覧印刷用色変換テーブルを格納するメモリーサイズを少なくすることが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００７９】
１…印刷装置、１０…コントローラー、５０…機構部、６１…ヘッド、６６…インク（色材）、７３…操作パネル、７４…出力部、７５…入力部、１００…ホスト装置、１７４…表示装置、３００…元ＬＵＴ（元色変換テーブル）、３１０…ＬＵＴ（色変換テーブル）、３２０…一覧印刷用ＬＵＴ（一覧印刷用色変換テーブル）、３２１…明度成分、３２２…色味成分、３８０…係数テーブル、４００…印刷物、４１０…被印刷物、Ａ０，Ａ１，Ａ１１〜Ａ１３…範囲、Ｄ１…入力画像、Ｄ２…変換前の一覧画像、Ｄ３…変換後の一覧画像、Ｄ５…出力画像、Ｄ２ａ，Ｄ３ａ…画像、Ｒ１〜Ｒ５…領域、Ｕ１…一覧印刷制御部、Ｕ２…一覧画像形成部、Ｕ３…ＬＵＴ調整部（色変換テーブル調整部）。
【図１】
0006344149.tif 000002
【図２】
0006344149.tif 000003
【図３】
0006344149.tif 000004
【図４】
0006344149.tif 000005
【図５】
0006344149.tif 000006
【図６】
0006344149.tif 000007
【図７】
0006344149.tif 000008
【図８】
0006344149.tif 000009
【図９】
0006344149.tif 000010
【図１０】
0006344149.tif 000011
【図１１】
0006344149.tif 000012